(57)【要約】【課題】  テレビ受像装置により番組を視聴する際、アニメ番組では画面の明るさや、R(赤),G(緑),B(青)の原色画面が高速に切り替わり、特に子供の脳に障害を与えることが、いわゆる光感受性障害として知られている。リアルタイムに受信したテレビのアニメ番組を視聴する場合であっても、光感受性障害を防止することが可能なテレビ受像装置が望まれる。【解決手段】テレビ受像装置の電源をONし、記録装置に番組記録開始し、追い掛け再生を開始する(S1)。前記記憶手段に記憶されたEPGデータに基づき受信された番組がアニメ番組であると判断され(S2〜S4)、かつ前記RGB変化検出手段が前記番組記録手段からの再生映像のフレーム間のRGB信号レベルの変化が所定値を超えたことが検出されたとき(S5)、前記番組記録手段が同一映像再生フレームを所定回数連続して再生するように制御する(S6)。当該アニメ番組が再生中は本処理が継続される(S8)。【選択図】図３
2006261892.tif 000002
【特許請求の範囲】
【請求項１】
放送電波を受信し放送番組の映像と音声を再生するテレビ受像装置において、
受信した番組を記録／再生する番組記録手段と、
前記番組記録手段で再生された映像のフレーム間のＲＧＢ信号レベルの変化を検出するＲＧＢ変化検出手段と、
前記ＲＧＢ変化検出手段が前記番組記録手段からの再生映像のフレーム間のＲＧＢ信号レベルの変化が所定値を超えたことを検出したとき、前記番組記録手段が同一映像再生フレームを所定回数連続して再生するように制御する再生制御手段を備えたことを特徴とするテレビ受像装置。
【請求項２】
前記再生制御手段は、前記ＲＧＢ変化検出手段からの検出信号を受け、前記番組記録手段の映像再生フレームの同一アドレスを所定回数連続して前記番組記録手段に出力する再生引き延ばし制御手段を備えたことを特徴とする請求項１記載のテレビ受像装置。
【請求項３】
前記再生制御手段は、前記ＲＧＢ変化検出手段が前記番組記録手段からの再生映像のフレーム間のＲＧＢ信号レベルの変化が所定値を超えたことを検出したとき、前記番組記録手段は続くフレームに代えて同一映像再生フレームを所定回数連続して再生する手段を備えたことを特徴とする請求項１記載のテレビ受像装置。
【請求項４】
前記再生制御手段は、前記ＲＧＢ変化検出手段が前記番組記録手段からの再生映像のフレーム間のＲＧＢ信号レベルの変化が所定値を超えたことを検出したとき、前記ＲＧＢ変化検出手段の検出信号を受けたマイクロコンピュータが同一映像再生フレームを所定回数連続して再生するするように前記番組記録手段を制御することを特徴とする請求項１乃至請求項３のいずれか一項に記載のテレビ受像装置。
【請求項５】
ＥＰＧデータを記憶する記憶手段と、
前記記憶手段に記憶されたＥＰＧデータに基づき受信された番組がアニメ番組であることを判断する判断手段とを備え、
前記再生制御手段は、前記判断手段により当該番組がアニメであることが判断され、かつ前記ＲＧＢ変化検出手段が前記番組記録手段からの再生映像のフレーム間のＲＧＢ信号レベルの変化が所定値を超えたことを検出したとき、前記番組記録手段が同一映像再生フレームを所定回数連続して再生するように制御することを特徴とする請求項１乃至請求項５のいずれか一項に記載のテレビ受像装置。
【請求項６】
受信した番組を番組記録手段により記録／再生し、
再生映像のフレーム間のＲＧＢ信号レベルの変化を検出し、
前記再生映像のフレーム間のＲＧＢ信号レベルの変化が所定値を超えたことを検出したとき、同一映像再生フレームを所定回数連続して再生することを特徴とするテレビ受像装置の番組再生方法。
【請求項７】
同一映像再生フレームを所定回数連続して再生する際、映像再生フレームの同一アドレスを所定回数連続して前記番組記録手段に出力することを特徴とする請求項６記載のテレビ受像装置の番組再生方法。
【請求項８】
前記番組記録手段からの再生映像のフレーム間のＲＧＢ信号レベルの変化が所定値を超えたとき、前記番組記録手段は続くフレームに代えて同一映像再生フレームを所定回数連続して再生することを特徴とする請求項６記載のテレビ受像装置の番組再生方法。
【請求項９】
前記番組記録手段からの再生映像のフレーム間のＲＧＢ信号レベルの変化が所定値を超えたとき、マイクロコンピュータが同一映像再生フレームを所定回数連続して再生するするように前記番組記録手段を制御することを特徴とする請求項６乃至請求項８のいずれか一項に記載のテレビ受像装置の番組再生方法。
【請求項１０】
ＥＰＧデータを記憶し、
記憶されたＥＰＧデータに基づき受信された番組がアニメ番組であることを判断し、かつ前記番組記録手段からの再生映像のフレーム間のＲＧＢ信号レベルの変化が所定値を超えたとき、同一映像再生フレームを所定回数連続して再生するように前記番組記録手段を制御することを特徴とする請求項６乃至請求項９のいずれか一項に記載のテレビ受像装置の番組再生方法。
【発明の詳細な説明】
【技術分野】
【０００１】
本発明は、テレビ受像装置に係り、特に子供向け番組を放送しているときに、テレビ画面の高速な映像変化から視聴者、特に子供の脳への影響（光感受性障害）を防止するのに好適なテレビ受像装置に関する。
【背景技術】
【０００２】
テレビ受像装置により番組を視聴する際、アニメ番組では画面の明るさや、Ｒ（赤）、Ｇ（緑）、Ｂ（青）の原色画面が高速に切り替わり、特に子供の脳に障害を与えることが、いわゆる光感受性障害として知られている。
【０００３】
このような光感受性障害を防止する従来技術として、特開２０００−８１８６９号公報で提案されたものがある。この従来技術は、電子閲覧システムにおいて、映像表示時間や閲覧時間の引き伸ばし、表示色の変更、表示画像順序の変更などを行い光感受性障害の対策をしている。
【特許文献１】特開２０００−８１８６９号公報
【発明の開示】
【発明が解決しようとする課題】
【０００４】
しかしながら、上記特許文献１に提案されている従来技術には、電子閲覧システムにおける映像表示時間や閲覧時間の引き伸ばし、表示色の変更、表示画像順序の変更に関して記載はあるが、テレビのアニメ番組を視聴する場合にどのようにして光感受性障害を防止するか具体的な手段が記載されていない。
すなわち、テレビのアニメ番組は、通常、受信した映像をリアルタイムに画面に表示するので、電子閲覧システムのように映像表示時間や閲覧時間を引き伸ばすことができない問題がある。
また、電子閲覧システムでは蓄積された画像データを扱っているので、高速に切り替わると予知されるフレームを特定することも可能と思われるが、テレビのアニメ番組ではリアルタイムに映像が送られてくるので、高速に切り替わる映像を検出したときには、既に画面に表示された後であり、高速に切り替わるフレームを特定してこのフレームを回避することができない問題がある。
【０００５】
本発明の目的は、上記従来技術の問題に鑑み、、リアルタイムに受信したテレビのアニメ番組を視聴する場合であっても、光感受性障害を防止することが可能なテレビ受像装置を提供することにある。
【課題を解決するための手段】
【０００６】
本発明の請求項１に係る発明の要旨は、放送電波を受信し放送番組の映像と音声を再生するテレビ受像装置において、受信した番組を記録／再生する番組記録手段と、前記番組記録手段で再生された映像のフレーム間のＲＧＢ信号レベルの変化を検出するＲＧＢ変化検出手段と、前記ＲＧＢ変化検出手段が前記番組記録手段からの再生映像のフレーム間のＲＧＢ信号レベルの変化が所定値を超えたことを検出したとき、前記番組記録手段が同一映像再生フレームを所定回数連続して再生するように制御する再生制御手段を備えたことを特徴とするテレビ受像装置に存する。
また、本発明の請求項２に係る発明の要旨は、前記再生制御手段は、前記ＲＧＢ変化検出手段からの検出信号を受け、前記番組記録手段の映像再生フレームの同一アドレスを所定回数連続して前記番組記録手段に出力する再生引き延ばし制御手段を備えたことを特徴とする請求項１記載のテレビ受像装置に存する。
また、本発明の請求項３に係る発明の要旨は、前記再生制御手段は、前記ＲＧＢ変化検出手段が前記番組記録手段からの再生映像のフレーム間のＲＧＢ信号レベルの変化が所定値を超えたことを検出したとき、前記番組記録手段は続くフレームに代えて同一映像再生フレームを所定回数連続して再生する手段を備えたことを特徴とする請求項１記載のテレビ受像装置に存する。
また、本発明の請求項４に係る発明の要旨は、前記再生制御手段は、前記ＲＧＢ変化検出手段が前記番組記録手段からの再生映像のフレーム間のＲＧＢ信号レベルの変化が所定値を超えたことを検出したとき、前記ＲＧＢ変化検出手段の検出信号を受けたマイクロコンピュータが同一映像再生フレームを所定回数連続して再生するするように前記番組記録手段を制御することを特徴とする請求項１乃至請求項３のいずれか一項に記載のテレビ受像装置に存する。
また、本発明の請求項５に係る発明の要旨は、ＥＰＧデータを記憶する記憶手段と、前記記憶手段に記憶されたＥＰＧデータに基づき受信された番組がアニメ番組であることを判断する判断手段とを備え、前記再生制御手段は、前記判断手段により当該番組がアニメであることが判断され、かつ前記ＲＧＢ変化検出手段が前記番組記録手段からの再生映像のフレーム間のＲＧＢ信号レベルの変化が所定値を超えたことを検出したとき、前記番組記録手段が同一映像再生フレームを所定回数連続して再生するように制御することを特徴とする請求項１乃至請求項５のいずれか一項に記載のテレビ受像装置に存する。
また、本発明の請求項６に係る発明の要旨は、受信した番組を番組記録手段により記録／再生し、再生映像のフレーム間のＲＧＢ信号レベルの変化を検出し、前記再生映像のフレーム間のＲＧＢ信号レベルの変化が所定値を超えたことを検出したとき、同一映像再生フレームを所定回数連続して再生することを特徴とするテレビ受像装置の番組再生方法に存する。
また、本発明の請求項７に係る発明の要旨は、同一映像再生フレームを所定回数連続して再生する際、映像再生フレームの同一アドレスを所定回数連続して前記番組記録手段に出力することを特徴とする請求項６記載のテレビ受像装置の番組再生方法に存する。
また、本発明の請求項８に係る発明の要旨は、前記番組記録手段からの再生映像のフレーム間のＲＧＢ信号レベルの変化が所定値を超えたとき、前記番組記録手段は続くフレームに代えて同一映像再生フレームを所定回数連続して再生することを特徴とする請求項６記載のテレビ受像装置の番組再生方法に存する。
また、本発明の請求項９に係る発明の要旨は、前記番組記録手段からの再生映像のフレーム間のＲＧＢ信号レベルの変化が所定値を超えたとき、マイクロコンピュータが同一映像再生フレームを所定回数連続して再生するするように前記番組記録手段を制御することを特徴とする請求項６乃至請求項８のいずれか一項に記載のテレビ受像装置の番組再生方法に存する。
また、本発明の請求項１０に係る発明の要旨は、ＥＰＧデータを記憶し、記憶されたＥＰＧデータに基づき受信された番組がアニメ番組であることを判断し、かつ前記番組記録手段からの再生映像のフレーム間のＲＧＢ信号レベルの変化が所定値を超えたとき、同一映像再生フレームを所定回数連続して再生するように前記番組記録手段を制御することを特徴とする請求項６乃至請求項９のいずれか一項に記載のテレビ受像装置の番組再生方法に存する。
【発明の効果】
【０００７】
本発明によれば、リアルタイムに受信したテレビのアニメ番組を視聴する場合であっても、光感受性障害を防止することが可能なテレビ受像装置を提供することができる。
【発明を実施するための最良の形態】
【０００８】
次に、本発明を実施するための最良の形態を、図面を参照して具体的に説明する。
（第１の実施の形態）
本発明による第１の実施の形態を図１乃至図４を参照して説明する。
【０００９】
図１は本発明の第１の実施の形態における具体的なテレビ受像装置の構成図である。
図１において、１は放送電波を受信するアンテナ、２は放送番組を受信して再生するテレビ受像装置、３はテレビ受像装置２を遠隔操作するリモートコントローラ（以下リモコンという）である。なお、アンテナ１は、地上波デジタル放送、ＢＳデジタル放送、ＣＳデジタル放送で異なるものを複数必要とする場合も、アンテナ１として簡易に図示してある。また、ＤＶＤやビデオ装置などが外部機器４としテレビ受像装置２に接続できるようになっている。
【００１０】
更にテレビジョン受像装置２の構成を説明すると、１０乃至１２はチューナーであり所望のチャンネルを選局してその信号を出力する。１０は地上波デジタル放送用チューナー、１１はＢＳデジタル放送用チューナー、１２はＣＳデジタル放送用チューナーである。
【００１１】
また、１３は、地上波デジタル放送用チューナー１０、ＢＳデジタル放送用チューナー１１、ＣＳデジタル放送用チューナー１２から出力された信号、及び外部機器４から入力された信号を切り替えて出力する切り替えスイッチである。切り替えスイッチ１３はマイクロコントローラ（以下マイコンという）２０の切り替え指令により地上波デジタル放送用チューナー１０の出力信号、ＢＳデジタル放送用チューナー１１の出力信号、ＣＳデジタル放送用チューナー１２の出力信号、及び外部機器４からの出力信号のいずれかを選択するようになっている。
【００１２】
切り替えスイッチ１３から選択して出力されたデジタル映像信号は、デジタル放送デコーダー１４に入力される。また、放送電波からはＥＰＧ（電子番組ガイド）も受信され、デジタル放送デコーダー１４に入力される。デジタル放送デコーダー１４は受信したＥＰＧ情報をデコードしてＥＰＧデータを得るＥＰＧデコーダーなどで構成されている。記憶部１５には、本実施の形態の動作プログラム、及びデジタル放送デコーダー１４でデコードされたＥＰＧの各種データ（放送番組開始時間、放送番組終了時間、番組のジャンル、番組のサブジャンル、視聴者年齢制限情報、検索キーワード情報、番組登場人物の名前など）が記憶されている。
【００１３】
デジタル放送デコーダー１４から出力されたデジタル映像信号は、ＩＰ変換／ＲＧＢプロセッサ１６に入力される。ＩＰ変換／ＲＧＢプロセッサ１６はインターレスとプログレッシブの変換やＲ（赤）、Ｇ（緑）、Ｂ（青）信号（以下ＲＧＢ信号という）を生成するプロセッサである。ＩＰ変換／ＲＧＢプロセッサ１６から出力されたデジタル映像信号は、液晶表示装置などの表示装置１７に入力され、選局された放送番組などが画面に表示される。なお、図１では音声出力部は図示を省略している。
【００１４】
１９はリモコン受信部であり、リモコン３からの赤外線による操作信号を受信する。テレビ受像装置２はリモコン受信部１９で受信したリモコン３の操作信号をテレビ受像装置２全体を制御するマイコン２０に送り、この信号を受け取ったマイコン２０は、チャンネル切り替えや、番組予約など各種メニュー操作を実行する。
【００１５】
また、テレビ受像装置２は放送番組などを記録するために更に内蔵の記録装置１８（番組記録手段；ハードディスクＨＤＤなど）を備えている。この記録装置１８は、例えば本実施の形態では、対象となる放送番組を番組開始から番組終了までの時間において記憶するのに十分な記憶容量を有しており、追い掛け再生することができる。なお、追い掛け再生とは、放送番組を記録装置１８に記憶しつつ放送番組を追いかけるように再生することができる再生方法をいい、既にテレビ受像装置に適用したものが市販されている。
【００１６】
追い掛け再生の技術としては、例えば特公平６−１０１１８４号公報（記録と再生を同時に行う装置が提案されている）、特許第３０６０１５２号公報（ＨＤＤに記憶されたデータの読み出し方が提案されている）などに詳しく記載されている。本発明の本実施の形態ではこれら公報に記載された追い掛け再生装置、及び方法を利用することができる。
【００１７】
また、記録装置１８には、記録装置１８で再生された映像信号のＲＧＢ信号を入力し、ＲＧＢ信号のレベル変化を検出してマイコン２０に出力するＲＧＢ変化検出部２１が接続されている。
【００１８】
図２にＲＧＢ変化検出部２１の詳細な構成を示した。
ＲＧＢ変化検出部２１は、現フレーム平均算出部２１１、２１５、２１９、前フレーム平均値記憶部２１２、２１６、２２０、減算器２１３、２１７、２２１、比較部２１４、２１８、２２２、ＯＲ回路２２３から構成されている。
【００１９】
記録装置１８で再生した映像信号のＲＧＢ信号が現フレーム平均算出部２１１、２１５、２１９に入力される。現フレーム平均算出部２１１に入力されたＲ（赤）信号は１フレーム分について信号レベルの平均値が算出される。同様に、現フレーム平均算出部２１５に入力されたＧ（緑）信号は１フレーム分について信号レベルの平均値が、現フレーム平均算出部２１９に入力されたＲ（青）信号は１フレーム分について信号レベルの平均値が算出される。
【００２０】
現フレーム平均算出部２１１で算出された現フレーム平均値は前フレーム平均値記憶部２１２に出力されて記憶される。同様に、現フレーム平均算出部２１５で算出された現フレーム平均値は前フレーム平均値記憶部２１６に出力されて記憶され、現フレーム平均算出部２１９で算出された現フレーム平均値は前フレーム平均値記憶部２２０に出力されて記憶される。前フレーム平均値記憶部２１２、２１６、２２０は、現フレーム平均算出部２１１、２１５、２１９で算出された１フレーム前の平均値を記憶している。
【００２１】
２１３、２１７、２２１は減算器であり、現フレーム平均算出部２１１、２１５、２１９で算出された信号レベルの平均値と、前フレーム平均値記憶部２１２、２１６、２２０に記憶された１フレーム前の信号レベルの平均値との差が求められる。この減算結果は比較部２１４、２１８、２２２に出力される。
【００２２】
比較部２１４、２１８、２２２には、ＲＧＢ信号レベル変化の値が、通常の風景など自然映像よりは大きいが、アニメなど人工映像による光感受性障害を引き起こす値よりは小さな値を比較基準値として記憶しており、減算器２１３、２１７、２２１から入力された差分がこの比較基準値を上回ったとき論理”１”をＯＲ回路２２３に出力する。ＯＲ回路２２３は比較部２１４、２１８、２２２のいずれかから論理”１”が入力されると論理”１”を出力する。したがって、ＲＧＢ変化検出部２１は、ＲＧＢ信号レベルが１つ前のフレームに対し比較基準値を上回る高速な変化をすると論理”１”を出力するようになっている。
【００２３】
次に図３を参照して第１の実施の形態の動作フローを説明する。
まず、ステップＳ１において、リモコン３を操作してテレビ電源をＯＮして視聴が開始される。同時に記録装置１８が起動されて受信されている放送番組の記録が開始され、また、追い掛け再生も開始される。
【００２４】
ステップＳ２では記憶部１５に記憶されたＥＰＧデータを基に、現在受信中の放送番組が「アニメ」のジャンルであるかどうかをチェックする。「アニメ」のジャンルの放送が検出されなかったとき（ＮＯのとき）は、ステップＳ３で所定の待ち時間だけ待って、その後にステップＳ２に戻り再度現在受信中の放送番組が「アニメ」のジャンルであるかどうかをチェックする。これは「アニメ」のジャンルの放送が検出されるまで継続される。このステップＳ３の所定の待ち時間はマイコンの動作を安定させるために設けられているもので、ステップＳ２の検出動作の時間間隔を決めている。「アニメ」のジャンルを検出して本処理を行うことにより、アニメ番組以外でたまたま高速な画像変化があったとき、これを無視することができる。
【００２５】
ステップＳ２で「アニメ」のジャンルの放送が検出される（ＹＥＳのとき）と、ステップＳ４に進む。ステップＳ４において、現在受信して記録されている番組がアニメの番組であることを記録装置１８に記録する。
【００２６】
次にステップＳ５に進む。ステップＳ５では、追い掛け再生による記録装置１８からの再生映像信号のＲＧＢ信号レベルの変化が比較基準値より大きいか否か検出する。この検出はＲＧＢ変化検出部２１によって行われる。ＲＧＢ変化検出部２１はＲＧＢ信号レベルが１つ前のフレームに対し比較基準値を上回る高速な変化をすると論理”１”を出力する
【００２７】
ステップＳ５において、ＲＧＢ信号レベルの変化が比較基準値より小さいと判断されたとき（ＮＯのとき）にはステップＳ７に進み次のフレームを出力する。
【００２８】
次にステップＳ８に進み、当該アニメ番組が再生中か否かをチェックする。ステップＳ８において、当該アニメが再生中（ＹＥＳ）であるとき、ステップＳ５に戻り、処理を継続する。
【００２９】
ステップＳ５において、ＲＧＢ信号レベルの変化が比較部２１４、２１８、２２２の比較基準値より大きいと判断されたとき（ＹＥＳのとき）にはステップＳ６に進み、１フレームの再生時間を所定回数倍（Ｎ倍）に引き延ばす。このとき、マイコン２０は映像再生フレームを所定回数連続して記録装置から出力するように記録装置１８に同一アドレスを指定する。
【００３０】
図４はこのときの動作を説明したものである。図４の（ａ）は、記録装置１８からの映像出力レベル（Ｒ、Ｇ、Ｂ信号レベル）の例えばＲ信号について、横軸を時間、縦軸を大きさ（１フレームにおける平均値）として示したものである。大きさは、例えばＲ、Ｇ、Ｂ信号レベルの大きさを８ビットデータとした場合には、最大で２５５、最小０の値をとる。
【００３１】
まず、前フレーム平均値記憶部２１２に記憶されたフレームＦ０と現フレーム平均算出部で算出されたフレームＦ１の大きさの差分が比較部２１４でチェックされる。フレームＦ０とフレームＦ１の大きさの差分が光感受性障害の防止に対しての判断の基準値（比較部２１４、２１８、２２２に記憶された比較基準値）を超えているものとするとすると、ＲＧＢ変化検出部２１は論理”１”を出力する。このＲＧＢ変化検出部２１の出力をマイコン２０が検知し、マイコン２０は記録装置１８に対してフレームＦ１を所定回数（Ｎ回）、例えば図４の場合３回連続して再生するように指令する。
【００３２】
次にステップＳ７に進み、当該アニメが再生中か否かをチェックし、再生中（ＹＥＳ）であればステップＳ５に戻る。
【００３３】
ステップＳ５では、再び追い掛け再生による記録装置１８からの再生映像信号のＲＧＢ信号レベルの変化が比較基準値より大きいか否か検出する。すなわち前フレーム平均値記憶部２１２に記憶されたフレームＦ１と現フレーム平均算出部で算出されたフレームＦ２の大きさの差分が比較部２１４でチェックされる。フレームＦ１とフレームＦ２の大きさの差分が光感受性障害の防止に対しての判断の基準値（比較部２１４、２１８、２２２に記憶された比較基準値）を超えているものとするとすると、ＲＧＢ変化検出部２１は論理”１”を出力する。このＲＧＢ変化検出部２１の出力をマイコン２０が検知し、マイコン２０は記録装置１８に対してフレームＦ２を３回連続して再生するように指令する。
【００３４】
次にステップＳ８に進み、当該アニメが再生中か否かをチェックし、再生中（ＹＥＳ）であればステップＳ５に戻る。このステップＳ５ではアニメ番組が再生中に追い掛け再生による記録装置１８からの再生映像信号のＲＧＢ信号レベルの変化が比較基準値より大きいか否か検出されて、大きければマイコン２０は記録装置１８に対してフレームＦ２を３回連続して再生するように指令する。
【００３５】
このようにして図４（ｂ）に示したように、フレームＦ１、Ｆ２、Ｆ３、Ｆ４、Ｆ５・・・がそれぞれ３回繰り返される。この場合、同じフレームが３回繰り返して表示されるので、時間的に３倍に引き延ばされることになる。すなわち映像が高速に変化する時間が例えば１分継続すると、これを３分に引き延ばす。このようにすると映像の変化割合が１／３になり、光感受性障害を防止することができる。ここで、繰り返す所定回数（Ｎ回）は３回に限らず、任意に決めることができることはいうまでもない。
【００３６】
もちろん、フレームＦ１とフレームＦ２の大きさの差分が光感受性障害の防止に対しての判断の基準値（比較部２１４、２１８、２２２に記憶された比較基準値）を下回れば、ステップＳ５においてＲＧＢ変化検出部２１は論理”０”を出力し、マイコン２０は記録装置１８に対して通常の再生に戻すように指令する（ステップＳ８に進む）ことになる。ステップＳ８で当該アニメ番組の再生が終了したことが検知されたときはステップＳ９へ進み本動作処理を終了する。
【００３７】
以上のように、本第１の実施の形態によれば、アニメ番組を再生する場合に高速に映像が変化するときに、その変化を遅くして光感受性障害を防止することができる。
【００３８】
（第２の実施の形態）
図５〜図６は本発明の第２の実施の形態を示すものである。
上記第１の実施の形態では、ＲＧＢ変化検出部２１が高速な映像変化を検出したときに再生時間を所定回数倍（Ｎ倍）に引き延ばしたが、本実施の形態では再生時間の引き延ばしを行わず、コマ落しをする点が相違している。
【００３９】
図５は第２の実施の形態の制御動作を説明するフローチャートである。
まず、ステップＳ１１において、リモコン３を操作してテレビ電源をＯＮして視聴が開始される。同時に記録装置１８が起動されて受信されている放送番組の記録が開始され、また追い掛け再生も開始される。
【００４０】
ステップＳ１２では記憶部１５に記憶されたＥＰＧデータを基に、現在受信中の放送番組が「アニメ」のジャンルであるかどうかをチェックする。「アニメ」のジャンルの放送が検出されなかったとき（ＮＯのとき）は、ステップＳ１３で所定の待ち時間だけ待って、その後にステップＳ１２に戻り再度現在受信中の放送番組が「アニメ」のジャンルであるかどうかをチェックする。これは「アニメ」のジャンルの放送が検出されるまで継続される。このステップＳ１３の所定の待ち時間はマイコンの動作を安定させるために設けられているもので、ステップＳ１２の検出動作の時間間隔を決めている。「アニメ」のジャンルを検出して本処理を行うことにより、アニメ番組以外でたまたま高速な画像変化があったとき、これを無視することができる。
【００４１】
ステップＳ１２で「アニメ」のジャンルの放送が検出される（ＹＥＳのとき）と、ステップＳ１４に進む。ステップＳ１４において、現在受信して記録されている番組がアニメの番組であることを記録装置１８に記録する。
【００４２】
次にステップＳ１５に進む。ステップＳ５では、追い掛け再生による記録装置１８からの再生映像信号のＲＧＢ信号レベルの変化が比較基準値より大きいか否か検出する。この検出はＲＧＢ変化検出部２１によって行われる。ＲＧＢ変化検出部２１はＲＧＢ信号レベルが１つ前のフレームに対し比較基準値を上回る高速な変化をすると論理”１”を出力する
【００４３】
ステップＳ１５において、ＲＧＢ信号レベルの変化が比較基準値より小さいと判断されたとき（ＮＯのとき）にはステップＳ１７に進み次のフレームを出力する。
【００４４】
次にステップＳ１８に進み、当該アニメ番組が再生中か否かをチェックする。ステップＳ１８において、当該アニメが再生中（ＹＥＳ）であるとき、ステップＳ１５に戻り、処理を継続する。
【００４５】
ステップＳ１５において、ＲＧＢ信号レベルの変化が比較部２１４、２１８、２２２の比較基準値より大きいと判断されたとき（ＹＥＳのとき）にはステップＳ１６に進み、続くフレームＦ２、フレームＦ３に代えて、図６に示したように、フレームＦ１を所定回数（Ｎ回）（図６の場合３回）続けて出力し、１／Ｎにフレームのコマ落しを行う。この場合再生時間は変わらない。このとき、マイコン２０は映像再生フレームを所定回数連続して記録装置から出力するように記録装置１８に同一アドレスを指定する。
【００４６】
図４の（ａ）は、記録装置１８からの映像出力レベル（Ｒ、Ｇ、Ｂ信号レベル）の例えばＲ信号について、横軸を時間、縦軸を大きさ（１フレームにおける平均値）として示したものである。大きさは、例えばＲ、Ｇ、Ｂ信号レベルの大きさを８ビットデータとした場合には、最大で２５５、最小０の値をとる。
【００４７】
まず、前フレーム平均値記憶部２１２に記憶されたフレームＦ０と現フレーム平均算出部で算出されたフレームＦ１の大きさの差分が比較部２１４でチェックされる。フレームＦ０とフレームＦ１の大きさの差分が光感受性障害の防止に対しての判断の基準値（比較部２１４、２１８、２２２に記憶された比較基準値）を超えているものとするとすると、ＲＧＢ変化検出部２１は論理”１”を出力する。このＲＧＢ変化検出部２１の出力をマイコン２０が検知し、マイコン２０は記録装置１８に対してフレームＦ１を所定回数（Ｎ回）、例えば図６の場合３回連続して再生するように指令する。
【００４８】
次にステップＳ１７に進み、次のフレームＦ４を出力する。
次にステップＳ１８に進み、当該アニメが再生中か否かをチェックし、再生中（ＹＥＳ）であればステップＳ１５に戻る。
【００４９】
ステップＳ１５では、再び追い掛け再生による記録装置１８からの再生映像信号のＲＧＢ信号レベルの変化が比較基準値より大きいか否かを、フレームＦ３とフレームＦ４のＲ、Ｇ、Ｂ信号レベルの差分により検出する。この場合、図１の記録装置１８からＲＧＢ変化検出部２１へは図６の（ａ）で示されたフレーム信号が出力される。
【００５０】
すなわち前フレーム平均値記憶部２１２に記憶されたフレームＦ３の平均値と現フレーム平均算出部で算出されたフレームＦ４の平均値の差分が比較部２１４でチェックされる。フレームＦ３とフレームＦ４の大きさの差分が光感受性障害の防止に対しての判断の基準値（比較部２１４、２１８、２２２に記憶された比較基準値）を超えているものとするとすると、ＲＧＢ変化検出部２１は論理”１”を出力する。このＲＧＢ変化検出部２１の出力をマイコン２０が検知し、マイコン２０は記録装置１８に対してフレームＦ４を３回連続して再生するように指令する。
【００５１】
次にステップＳ１７に進み、次のフレームＦ７を出力してステップＳ１８に進み、当該アニメが再生中か否かをチェックし、再生中（ＹＥＳ）であればステップＳ１５に戻る。ステップＳ１５においてアニメ番組が再生中に追い掛け再生による記録装置１８からの再生映像信号のＲＧＢ信号レベルの変化が比較基準値より大きいか否か検出されて、大きければマイコン２０は記録装置１８に対してフレームＦ７を３回連続して再生するように指令する。このようにして図４（ｂ）に示したように、フレームＦ１、Ｆ４、Ｆ１０、Ｆ１３・・・がそれぞれ３回繰り返される。
【００５２】
この場合、同じフレームが３回繰り返して表示されるが、フレームのコマ落しをしているので再生時間は同じである。このようにするとコマ落しされたフレーム分の映像の変化がなくなるので、映像の変化速度が遅くなり、光感受性障害を防止することができる。ここで、繰り返す回数Ｎは３回に限らず、任意に決めることができることはいうまでもない。
【００５３】
もちろん、再生映像信号のフレーム間のＲＧＢ信号レベルの差分が光感受性障害の防止に対しての判断の基準値（比較部２１４、２１８、２２２に記憶された比較基準値）を下回れば、ステップＳ５においてＲＧＢ変化検出部２１は論理”０”を出力し、マイコン２０は記録装置１８に対して通常の再生に戻すように指令する（ステップＳ１８に進む）ことになる。ステップＳ１８で当該アニメ番組の再生が終了したことが検知されたときはステップＳ１９へ進み本動作処理を終了する。
【００５４】
以上のように、本第２の実施の形態によれば、アニメ番組を再生する場合に高速に映像が変化するときに、その変化を遅くして光感受性障害を防止することができる。
【００５５】
以上、具体的な実施の形態について説明したが、以上の説明で、テレビ受像装置２に内蔵の記録装置１８はハードディスク（ＨＤＤ）の他に半導体メモリ装置、光ディスク装置、磁気ディスク装置、光磁気ディスク装置などを使用することができる。
また、本発明は、子供向けアニメ番組に限らず、健康を保護するために、ユーザの意思により任意のジャンルやその他の条件をＥＰＧデータから取得して、上記実施の形態の「アニメ番組」としたものに代えて実施することが可能である。
また、本発明は上記実施の形態に限定されることなく、本発明の要旨の範囲内で適宜変更して実施することができることはいうまでもない。
【産業上の利用可能性】
【００５６】
本発明は、テレビ受像装置により番組を視聴する際に、健康を保護するために広く利用できる。
【図面の簡単な説明】
【００５７】
【図１】本発明の第１の実施の形態によるテレビ受像装置の構成図である。
【図２】本発明の第１の実施の形態のＲＧＢ変化検出部の詳細図である。
【図３】本発明の第１の実施の形態によるテレビ受像装置の動作フローチャートである。
【図４】本発明の第１の実施の形態によるテレビ受像装置の動作を説明する図である。
【図５】本発明の第２の実施の形態によるテレビ受像装置の動作フローチャートである。
【図６】本発明の第２の実施の形態によるテレビ受像装置の動作を説明する図である。
【符号の説明】
【００５８】
１・・・アンテナ
２・・・テレビ受像装置
３・・・リモコン（リモートコントローラ）
４・・・外部機器
１０・・・地上波デジタル放送用チューナー
１１・・・ＢＳデジタル放送用チューナー
１２・・・ＣＳデジタル放送用チューナー
１３・・・切り替えスイッチ
１４・・・デジタル放送デコーダー
１５・・・記憶部
１６・・・ＩＰ変換／ＲＧＢプロセッサ
１７・・・表示装置
１８・・・記録装置（番組記録手段）
１９・・・リモコン受信部
２０・・・マイコン（マイクロコントローラ）
２１・・・ＲＧＢ変化検出部
２１１、２１５、２１９・・・現フレーム平均算出部
２１２、２１６、２２０・・・前フレーム平均値記憶部
２１３、２１７、２２１・・・減算器
２１４、２１８、２２２・・・比較部
２２３・・・ＯＲ回路
【図１】
2006261892.tif 000003
【図２】
2006261892.tif 000004
【図３】
2006261892.tif 000005
【図４】
2006261892.tif 000006
【図５】
2006261892.tif 000007
【図６】
2006261892.tif 000008